(57)【要約】【課題】  舗装道路などの走行路面上を走行して圃場間移動する際、前の圃場での刈取作業中にコンバインの走行装置２に付着した泥土を積極的に除去して走行路面の汚損を少なくすると共に、この泥土除去装置２７の伝動機構を簡素に構成して安価に提供する。【解決手段】  第１の手段として、走行装置２の後側に走行路面上の泥土を除去する泥土除去装置２７を設け、該泥土除去装置２７を脱穀装置３側からの伝動によって駆動するように構成する。第２の手段として、走行装置２の後側に走行路面上の泥土を除去する泥土除去装置２７を設け、該泥土除去装置２７を脱穀装置３の後側に設けた排藁処理装置２３側からの伝動によって駆動するように構成する。【選択図】図１
2005287438.tif 000002
【特許請求の範囲】
【請求項１】
走行装置２の上方に脱穀装置３と穀粒貯留装置４とを並設し、前記脱穀装置３の前側に刈取装置５を設けて機体１を構成したコンバインにおいて、前記走行装置２の後側に走行路面上の泥土を除去する泥土除去装置２７を設け、該泥土除去装置２７を前記脱穀装置３側からの伝動によって駆動するように構成したことを特徴とするコンバイン。
【請求項２】
走行装置２の上方に脱穀装置３と穀粒貯留装置４とを並設し、前記脱穀装置３の前側に刈取装置５を設けて機体１を構成したコンバインにおいて、前記走行装置２の後側に走行路面上の泥土を除去する泥土除去装置２７を設け、該泥土除去装置２７を前記脱穀装置３の後側に設けた排藁処理装置２３側からの伝動によって駆動するように構成したことを特徴とするコンバイン。
【発明の詳細な説明】
【技術分野】
【０００１】
本発明は、コンバインに係るものである。
【背景技術】
【０００２】
従来より、コンバインにおいては、圃場での刈取作業を終えて別の圃場へ移動する際に、走行装置に付着した大量の泥土が路面上に落ちて舗装路面を汚損する問題があった。
【０００３】
そこで、近年、路面上に落ちた泥土を除去する装置をコンバインの機体に設ける技術が試みられている。
【０００４】
例えば、コンバインの走行装置の後側に板体を斜設し、走行中にこの板体によって路面上の泥土を押し退けるものがある（例えば、特許文献１参照。）。
【特許文献１】実開平５−７００９号公報（実用新案登録請求の範囲の項、図１，２）
【発明の開示】
【発明が解決しようとする課題】
【０００５】
前述のように、コンバインの走行装置の後側に板体を斜設する技術では、コンバインの走行によって路面上の泥土を板体で押し退けるだけであり、泥土を除去する作用が消極的なものに過ぎず、泥土除去を充分に行うことができない。
【課題を解決するための手段】
【０００６】
本発明は、上述した課題を解決するために、次の如き技術手段を講ずるものである。
【０００７】
すなわち、請求項１記載の発明においては、走行装置２の上方に脱穀装置３と穀粒貯留装置４とを並設し、前記脱穀装置３の前側に刈取装置５を設けて機体１を構成したコンバインにおいて、前記走行装置２の後側に走行路面上の泥土を除去する泥土除去装置２７を設け、該泥土除去装置２７を前記脱穀装置３側からの伝動によって駆動するように構成したことを特徴とするコンバインとしている。
【０００８】
請求項１記載の発明によると、圃場におけるコンバイン作業は、走行装置２を駆動して前進しながら刈取装置５によって植立穀稈を刈り取り、刈取穀稈を脱穀装置３に供給して脱穀処理し、収穫された穀粒を穀粒貯留装置４に一時貯留する。そして、次の圃場へ移動するために、舗装道路などの走行路面上を走行することとなるが、前の圃場での刈取作業中にコンバインの走行装置２に付着した泥土が走行路面上に落ちても、走行装置２の後側に設けた泥土除去装置２７の駆動によってこの泥土が積極的に除去される。また、泥土除去装置２７は脱穀装置３側からの伝動によって駆動されるため、この泥土除去装置２７専用の伝動機構を別途設ける必要がない。
【０００９】
請求項２記載の発明においては、走行装置２の上方に脱穀装置３と穀粒貯留装置４とを並設し、前記脱穀装置３の前側に刈取装置５を設けて機体１を構成したコンバインにおいて、前記走行装置２の後側に走行路面上の泥土を除去する泥土除去装置２７を設け、該泥土除去装置２７を前記脱穀装置３の後側に設けた排藁処理装置２３側からの伝動によって駆動するように構成したことを特徴とするコンバインとしている。
【００１０】
請求項２記載の発明によると、圃場におけるコンバイン作業は、走行装置２を駆動して前進しながら刈取装置５によって植立穀稈を刈り取り、刈取穀稈を脱穀装置３に供給して脱穀処理し、収穫された穀粒を穀粒貯留装置４に一時貯留すると共に、脱穀後の排藁を排藁処理装置２３に投入して細断して圃場面上へ放出する。そして、次の圃場へ移動するために、舗装道路などの走行路面上を走行することとなるが、前の圃場での刈取作業中にコンバインの走行装置２に付着した泥土が走行路面上に落ちても、走行装置２の後側に設けた泥土除去装置２７の駆動によってこの泥土が積極的に除去される。また、泥土除去装置２７は脱穀装置３の後側に設けた排藁処理装置２３側からの伝動によって駆動されるため、この泥土除去装置２７専用の伝動機構を別途設ける必要がない。
【発明の効果】
【００１１】
請求項１記載の発明においては、舗装道路などの走行路面上を走行して圃場間移動する際、前の圃場での刈取作業中にコンバインの走行装置２に付着した泥土が走行路面上に落ちても、走行装置２の後側に設けた泥土除去装置２７の駆動によってこの泥土を積極的に除去して走行路面の汚損を少なくすることができる。また、泥土除去装置２７は脱穀装置３側からの伝動によって駆動されるため、この泥土除去装置２７専用の伝動機構を別途設ける必要がなく、簡素に構成することができ、安価に提供することができる。
【００１２】
請求項２記載の発明においては、舗装道路などの走行路面上を走行して圃場間移動する際、前の圃場での刈取作業中にコンバインの走行装置２に付着した泥土が走行路面上に落ちても、走行装置２の後側に設けた泥土除去装置２７の駆動によってこの泥土を積極的に除去して走行路面の汚損を少なくすることができる。また、泥土除去装置２７は脱穀装置３の後側に設けた排藁処理装置２３側からの伝動によって駆動されるため、この泥土除去装置２７専用の伝動機構を別途設ける必要がなく、簡素に構成することができ、安価に提供することができる。
【発明を実施するための最良の形態】
【００１３】
走行路面を汚損することなく圃場間移動することのできるコンバインを実現した。
【実施例１】
【００１４】
図１〜図４に実施例１を示す。
【００１５】
コンバインの機体１は、クロ−ラ式の左右の走行装置２，２の上方に脱穀装置３と穀粒貯留装置４とを並設し、前記脱穀装置３の前側に刈取装置５を設けて構成する。
【００１６】
前記走行装置２，２は、ミッションケ−スから駆動される駆動スプロケット６と、転輪フレ−ム７に軸支した多数の転輪８とにわたってクロ−ラ９を巻き掛けて構成する。また、機体１の前部一側に設けた操縦部１０には、座席１１と、操向レバ−１２及びア−ムレスト１３と、走行変速レバ−と、刈取クラッチレバ−及び脱穀クラッチレバ−と、穀粒排出オ−ガ旋回操作レバ−と、穀粒排出オ−ガ伸縮操作スイッチとを設ける。また、前記座席１１は、エンジンを内装するエンジンカバ−１４の上面に取り付ける。１５は、エンジン吸気用のエアクリ−ナに接続し、機体１上方へ延出したプレクリ−ナである。
【００１７】
前記脱穀装置３は、扱胴を内装した上側の扱室と、揺動棚、唐箕、一番螺旋、二番螺旋等を内装した下側の選別室とから構成し、前記脱穀クラッチレバ−の入り操作によって、エンジンの動力により駆動されるように構成する。
【００１８】
前記穀粒貯留装置４は、箱型に構成し、底部に底部搬送螺旋を内装し、上部に前記脱穀装置３の一番螺旋に連通した一番揚穀筒を接続する。また、前記底部搬送螺旋に続く縦軸回動自在の揚穀部１６と、該揚穀部１６に続く横軸起伏回動自在の穀粒排出オ−ガ１７とを設ける。前記穀粒排出オ−ガ１７は、前記穀粒排出オ−ガ伸縮スイッチの操作によって作動する伸縮駆動機構１８により、伸縮調節自在に構成する。
【００１９】
前記刈取装置５は、前端部の分草体１９と、該分草体１９後側の引起し装置２０と、該引起し装置２０後側の刈刃２１と、株元搬送装置及び穂先搬送装置とから構成する。２２は、刈取装置５から脱穀装置３へ刈取穀稈を引継ぎ搬送する縦搬送装置の上側を覆う防塵カバ−である。
【００２０】
前記脱穀装置３の後側には、該脱穀装置３によって脱穀処理された後の排藁を細断して放出する排藁カッタ−（排藁処理装置）２３を設ける。該排藁カッタ−２３は、前記脱穀装置３側から駆動力の供給を受ける入力軸側のディスクカッタ−と、該該入力軸に連動する従動軸２４側のディスクカッタ−とによって排藁を細断して圃場に放出するものである。
【００２１】
しかして、前記脱穀装置３や穀粒貯留装置４等を搭載する機体フレ−ム２５の後端部に逆Ｌ字形状の支持フレ−ム２６を下向き突出状に取付け、該支持フレ−ム２６の下端部に泥土除去装置２７を上下回動自在に軸支して取り付ける。
【００２２】
該泥土除去装置２７は、カバ−を兼ねたケ−シング２８の内部左右両端部に駆動スプロケット２９と従動スプロケット３０とを軸支し、該駆動スプロケット２９と従動スプロケット３０とにわたって無端状の泥土除去チェン３１を巻き掛けて構成する。
【００２３】
前記駆動プ−リ２９は前記ケ−シング２８に固定したベベルギヤケ−ス３２から駆動される構成とし、該ベベルギヤケ−ス３２の入力側には入力プ−リ３３を設ける。該入力プ−リ３３と前記排藁カッタ−２３の従動軸２４に設けた出力プ−リ３４とにわたって無端状の伝動ベルト３５を巻き掛ける。
【００２４】
また、前記泥土除去チェン３１には、適宜の間隔をおいて多数の起立プレ−ト３６を等ピッチで取付け、該起立プレ−ト３６の先端部にブラシ状の泥土掃き出し体３７を取り付ける。
【００２５】
以上の構成により、圃場におけるコンバイン作業は、走行装置２を駆動して前進しながら刈取装置５によって植立穀稈を刈り取り、刈取穀稈を脱穀装置３に供給して脱穀処理し、収穫された穀粒を穀粒貯留装置４に一時貯留すると共に、脱穀後の排藁を排藁処理装置２３に投入して細断して圃場面上へ放出する。そして、次の圃場へ移動するために、舗装道路などの走行路面上を走行することとなるが、前の圃場での刈取作業中にコンバインの走行装置２に付着した泥土が走行路面上に落ちても、脱穀クラッチレバ−を入りの状態として排藁カッタ−２３を駆動状態としたまま走行すると、走行装置２の後側に設けた泥土除去装置２７が駆動して、該泥土除去装置２７の泥土除去チェン３１に取り付けた多数の起立プレ−ト３６及び泥土掃き出し体３７によってこの泥土が機体１の左右外側方向へ掃き出されて路面上から積極的に除去され、路面の汚損を少なくすることができる。尚、前記起立プレ−ト３６は、ケ−シング２８内に収納される上側回転域においては、泥土除去チェン３１に対して倒伏して収納される。また、泥土除去装置２７は脱穀装置３の後側に設けた排藁カッタ−２３側からの伝動によって駆動されるため、この泥土除去装置２７専用の伝動機構を別途設ける必要がなく、簡素な伝動構成によって安価に提供することができる。また、前記排藁カッタ−２３の従動軸２４は高速で回転する軸であるため、泥土除去装置２７を高速で駆動でき、コンバインが高速で走行しても、路面上の泥土を十分に除去することができる。
【００２６】
尚、刈取作業中など、前記泥土除去装置２７を使用しない場合には、該泥土除去装置２７を上方回動させて機体フレ−ム２５の下面に沿わせて収納しておくことができる。
【実施例２】
【００２７】
上記実施例１の構成の一部を変更し、前記出力プ−リ３４を脱穀装置３の揺動棚駆動軸３８などの脱穀装置３内の伝動軸に設けてもよい。
【００２８】
この構成により、圃場におけるコンバイン作業は、走行装置２を駆動して前進しながら刈取装置５によって植立穀稈を刈り取り、刈取穀稈を脱穀装置３に供給して脱穀処理し、収穫された穀粒を穀粒貯留装置４に一時貯留すると共に、脱穀後の排藁を排藁処理装置２３に投入して細断して圃場面上へ放出する。そして、次の圃場へ移動するために、舗装道路などの走行路面上を走行することとなるが、前の圃場での刈取作業中にコンバインの走行装置２に付着した泥土が走行路面上に落ちても、脱穀クラッチレバ−を入りの状態として脱穀装置３を駆動状態としたまま走行すると、走行装置２の後側に設けた泥土除去装置２７が駆動して、該泥土除去装置２７の泥土除去チェン３１に取り付けた多数の起立プレ−ト３６及び泥土掃き出し体３７によってこの泥土が機体１の左右外側方向へ掃き出されて路面上から積極的に除去され、路面の汚損を少なくすることができる。また、泥土除去装置２７は脱穀装置３側からの伝動によって駆動されるため、この泥土除去装置２７専用の伝動機構を別途設ける必要がなく、簡素な伝動構成によって安価に提供することができる。
【００２９】
尚、刈取作業中など、前記泥土除去装置２７を使用しない場合には、該泥土除去装置２７を上方回動させて機体フレ−ム２５の下面に沿わせて収納しておくことができる。
【００３０】
尚、上記実施例１の構成も含めて補足説明するに、図６に示すように、前記泥土除去装置２７を排藁カッタ−２３の下側に回動収納させると、該排藁カッタ−２３から放出される細断藁が泥土除去装置２７にひっかかる不具合があるが、上述のように泥土除去装置２７を機体フレ−ム２５の下面に沿うように回動収納することで、排藁カッタ−２３から放出される細断藁が泥土除去装置２７にひっかかる不具合を解消することができる。
【実施例３】
【００３１】
また、図６及び図７に示すように、泥土除去装置２７を排藁カッタ−２３の下側に回動して固定できるように構成してもよい。
【００３２】
このように構成すると、排藁カッタ−２３下端の放出口３９から放出される細断藁を泥土除去装置２７の駆動による起立プレ−ト３６及び泥土掃き出し体３７の高速移動によって未刈側または既刈側に掃き飛ばすことができる。これにより、排藁カッタ−２３に細断藁拡散装置を設ける必要がなくなり、コンバインをより廉価に提供することができる。
【００３３】
一方、前記泥土除去装置２７によって路面上の泥土を除去する場合には、泥土除去装置２７の駆動方向を逆方向に切り換えて使用すればよい。
【実施例４】
【００３４】
また、図８に示すように、泥土除去装置２７の幅すなわち前記ケ−シング２８の幅を、左右の走行装置２，２（左右のクロ−ラ９，９）の設置間隔よりも大きく、且つ、機体１の全幅よりも小さく設定するとよい。
【００３５】
これにより、路面上においてクロ−ラ９，９から脱落した泥土を泥土除去装置２７によって確実に除去することができるうえに、この泥土除去装置２７の左右両端部が機体１からはみ出していないために、泥土除去装置２７が障害物に衝突して破損することを防止することができる。
【００３６】
尚、上記実施例１〜４に共通する技術として、泥土除去装置２７の泥土除去チェン３１の駆動方向を、機体１の背面視において時計回りとしてもよい。これにより、コンバインの路上走行時において、路面上の泥土を左側の路肩ないし側溝に寄せることができる。
【実施例５】
【００３７】
図９及び図１０に示すように、前記起立プレ−ト３６は、ケ−シング２８内に収納される際に倒伏する構成であるが、ケ−シング２８の起立プレ−ト３６引込み縁部に倒伏ガイド兼スクレ−パ４０を設けるとよい。
【００３８】
これにより、起立プレ−ト３６および泥土掃き出し体３７がケ−シング２８内に引き込まれる際に、この起立プレ−ト３６や泥土掃き出し体３７に付着していた泥土が倒伏ガイド兼スクレ−パ４０によって削ぎ落とされてケ−シング２８外へ排出される。この結果、ケ−シング２８内に泥土が溜ることがなく、泥土除去装置２７の駆動状態を適正に維持することができる。
【００３９】
尚、上記実施例１〜５に共通する技術として、泥土除去装置２７の泥土除去チェン３１の駆動速度を、コンバインの走行速度よりも高速に設定するとよい。これにより、コンバインが停止状態から最高速までの範囲で変速しても、路面上の泥土を残らず除去することができる。
【実施例６】
【００４０】
図１１に示すように、泥土除去装置２７を折り畳み可能に構成してもよい。
【００４１】
即ち、前記ケ−シング２８を駆動側ケ−シング２８ａと従動側ケ−シング２８ｂとに分割形成し、これら駆動側ケ−シング２８ａと従動側ケ−シング２８ｂとの連設部分に両ケ−シング２８ａ，２８ｂの相対回動の中心軸を兼用した中間従動軸４１を軸支する。そして、該中間従動軸４１に中間従動スプロケット４２，４２を設け、前記泥土除去チェン３１を駆動側泥土除去チェン３１ａと従動側泥土除去チェン３１ｂとに分割形成して、該駆動側泥土除去チェン３１ａと従動側泥土除去チェン３１ｂとのそれぞれを、前記駆動スプロケット２９と中間従動スプロケット４２、及び、前記中間従動スプロケット４２と従動スプロケット３０に掛け回す。
【００４２】
これにより、前記従動側ケ−シング２８ｂを時計方向ないし反時計方向に回動させて駆動側ケ−シング２８ａと従動側ケ−シング２８ｂとが機体１背面視で重なるように収納することができ、泥土除去装置２７をコンパクトに収納することができてコンバイン走行時にこの泥土除去装置２７に障害物が衝突して破損することがなくなる。また、ケ−シング２８や泥土除去チェン３１等の単体が小さくなることで、安価に製造することができる。また、泥土除去装置２７を折り畳み式とすることで、広げたときの泥土除去作用有効幅を大きく構成することが容易となり、泥土除去作業の能率を高めることができる。
【００４３】
また、図１２に示すように、前記従動側ケ−シング２８ｂを駆動側ケ−シング２８ａよりも前側に配置する構成としてもよい。これにより、コンバインの前進走行時において、従動側ケ−シング２８ｂの起立プレ−ト３６及び泥土掃き出し体３７によって掃き送られた泥土を、駆動側ケ−シング２８ａの起立プレ−ト３６及び泥土掃き出し体３７に引き継いで側方へ掃き出すことができ、泥土除去装置２７を折り畳み式としても泥土除去能力を高く維持することができる。
【図面の簡単な説明】
【００４４】
【図１】コンバインの側面図である。（実施例１）
【図２】コンバインの要部の側面図である。（実施例１）
【図３】コンバインの背面図である。（実施例１）
【図４】コンバインの要部の背面図である。（実施例１）
【図５】コンバインの要部の側面図である。（実施例２）
【図６】コンバインの要部の側面図である。（実施例３）
【図７】泥土除去装置部の平面図である。（実施例３）
【図８】コンバインの要部の背面図である。（実施例４）
【図９】泥土除去装置を断面して示す背面図である。（実施例５）
【図１０】泥土除去装置を断面して示す側面図である。（実施例５）
【図１１】泥土除去装置の背面図および説明用平面図である。（実施例６）
【図１２】泥土除去装置の背面図および説明用平面図である。（実施例６）
【符号の説明】
【００４５】
１  機体
２  走行装置
３  脱穀装置
４  穀粒貯留装置
５  刈取装置
２３  排藁カッタ−（排藁処理装置）
２７  泥土除去装置
【図１】
2005287438.tif 000003
【図２】
2005287438.tif 000004
【図３】
2005287438.tif 000005
【図４】
2005287438.tif 000006
【図５】
2005287438.tif 000007
【図６】
2005287438.tif 000008
【図７】
2005287438.tif 000009
【図８】
2005287438.tif 000010
【図９】
2005287438.tif 000011
【図１０】
2005287438.tif 000012
【図１１】
2005287438.tif 000013
【図１２】
2005287438.tif 000014